(57)【要約】【課題】種類の異なる画像領域が含まれる画像が入力されたとしてもユーザの希望するＡＣＳ結果を得ることができる画像処理装置及び画像処理方法を提供する。【解決手段】本発明に係る画像処理装置は、画像の入力を受け付ける画像入力手段と、入力された前記画像を、画像の種類に応じて少なくとも２つの画像領域に分離する領域判別手段と、前記画像の種類に応じて分離された画像領域ごとに有彩色か無彩色かを判定する領域別ＡＣＳ手段と、前記領域別ＡＣＳ手段による領域ごとの判定結果に基づき、前記入力された画像が有彩色か無彩色かを判定する原稿ＡＣＳ手段と、前記原稿ＡＣＳ手段の判定結果に対応する画像処理が施された画像を出力する出力手段とを備える。【選択図】図４
2011142409.tif 000002
【特許請求の範囲】
【請求項１】
画像の入力を受け付ける画像入力手段と、
入力された前記画像を、画像の種類に応じて少なくとも２つの画像領域に分離する領域判別手段と、
前記画像の種類に応じて分離された画像領域ごとに有彩色か無彩色かを判定する領域別ＡＣＳ手段と、
前記領域別ＡＣＳ手段による領域ごとの判定結果に基づき、前記入力された画像が有彩色か無彩色かを判定する原稿ＡＣＳ手段と、
前記原稿ＡＣＳ手段の判定結果に対応する画像処理が施された画像を出力する出力手段とを備える画像処理装置。
【請求項２】
ユーザから、前記入力された画像のカラーモードの設定として有彩色と無彩色とのいずれかを受け付ける受付手段と、
受け付けた前記カラーモードの設定と前記原稿ＡＣＳ手段の判定結果とが異なるか否かを判断する第１の判断手段と、
前記第１の判断手段により前記受け付けたカラーモードの設定と前記原稿ＡＣＳ手段の判定結果とが異なると判断された場合に、前記領域別ＡＣＳ手段が用いる判定条件を調整するＡＣＳ条件調整手段とを更に備える請求項１に記載の画像処理装置。
【請求項３】
ユーザから、前記原稿ＡＣＳ手段による判定結果を採用するか否かの入力を受け付ける受付部と、
前記受付部が受け付けた入力が前記原稿ＡＣＳ手段による判定結果を採用しないものである場合に、前記領域別ＡＣＳ手段が用いる判定条件を調整するＡＣＳ条件調整手段とを更に備える請求項１に記載の画像処理装置。
【請求項４】
前記ＡＣＳ条件調整手段は、前記領域別ＡＣＳ手段が用いる判定条件を前記受付手段が受け付けたカラーモード側に調整する請求項２に記載の画像処理装置。
【請求項５】
前記領域別ＡＣＳ手段のそれぞれについて、当該領域別ＡＣＳ手段の判定結果と前記受け付けたカラーモードの設定とが異なるか否かを判断する第２の判断手段を更に有し、
前記ＡＣＳ条件調整手段は、前記第２の判断手段により前記受け付けたカラーモードの設定と異なる判定結果であると判断された前記領域別ＡＣＳ手段が用いる判定条件を調整する請求項２または４に記載の画像処理装置。
【請求項６】
前記ＡＣＳ条件調整手段は、前記第２の判断手段により前記受け付けたカラーモードの設定と異なる判定結果であると判断された前記領域別ＡＣＳ手段が用いる判定条件を、前記受け付けたカラーモード側に調整する請求項５に記載の画像処理装置。
【請求項７】
前記画像処理装置は、当該画像処理装置を使用するユーザごとに前記領域別ＡＣＳ手段が用いる判断条件に関する情報を記憶するとともに前記画像処理装置を使用するユーザを識別するユーザ認証部に接続され、
前記領域別ＡＣＳ手段は、前記ユーザ認証部により識別されたユーザに対応する前記判定条件に基づいて、前記分離された画像領域ごとに有彩色か無彩色かを判定する請求項１乃至６のいずれか一に記載の画像処理装置。
【請求項８】
前記ＡＣＳ条件調整手段は、前記識別されたユーザに対応する判定条件を調整する請求項７に記載の画像処理装置。
【請求項９】
前記ＡＣＳ条件調整手段が前記認証されたユーザに対応する判定条件を調整した場合に、前記ＡＣＳ条件調整手段は、当該調整後の判定条件に基づき、前記ユーザ認証部に記憶された、前記認証されたユーザに対応する判定条件に関する情報を更新する請求項８に記載の画像処理装置。
【請求項１０】
画像処理装置により実行される画像処理方法であって、
画像の入力を受け付ける画像入力ステップと、
入力された前記画像を、画像の種類に応じて少なくとも２つの画像領域に分離する領域判別ステップと、
前記画像の種類に応じて分離された画像領域ごとに有彩色か無彩色かを判定する領域別ＡＣＳステップと、
前記領域別ＡＣＳステップにおける領域ごとの判定結果に基づき、前記入力された画像が有彩色か無彩色かを判定する原稿ＡＣＳステップと、
前記原稿ＡＣＳステップにおける判定結果に対応する画像処理が施された画像を出力する出力ステップとを備える画像処理方法。
【請求項１１】
ユーザから、前記入力された画像のカラーモードの設定として有彩色と無彩色とのいずれかを受け付ける受付ステップと、
受け付けた前記カラーモードの設定と前記原稿ＡＣＳステップにおける判定結果とが異なるか否かを判断する第１の判断ステップと、
前記第１の判断ステップにおいて、前記受け付けたカラーモードの設定と前記原稿ＡＣＳステップにおける判定結果とが異なると判断された場合に、前記領域別ＡＣＳステップにおいて用いられる判定条件を調整するＡＣＳ条件調整ステップとを更に備える請求項１０に記載の画像処理方法。
【発明の詳細な説明】
【技術分野】
【０００１】
本発明は、入力された画像がカラー画像であるかモノクロ画像であるかを自動的に判定する自動カラー判定機能を備える画像処理装置及び画像処理方法に関する。
【背景技術】
【０００２】
一般的に、フルカラー複写機などのフルカラー画像を出力可能な画像形成装置には、特許文献１に記載されているように、入力画像がカラー画像であるかモノクロ（白黒）画像であるかを自動的に判定する自動カラー判定（ＡＣＳ）機能と呼ばれる機能が搭載されている。
【０００３】
【特許文献１】特開平９−２４７４７２
【発明の概要】
【発明が解決しようとする課題】
【０００４】
しかし、画像形成装置の入力画像には、文字や網点、線、イメージなどの画像の種類の異なる画像領域が含まれていることが多く、それら種類の異なる画像領域を含む入力画像に対して従来のＡＣＳ処理を用いても、ユーザの期待に合った判定結果が得られないという問題があった。
【０００５】
特許文献１に記載された複写機は、入力画像を地色領域と地色外領域とに分離して、地色外領域に含まれる有彩色画素をカウントし、そのカウント値に基づいてＡＣＳ処理を行う。しかし、特許文献１に記載された複写機は、カラーかモノクロかを判定する領域を地色外領域に絞り込むものであるため、例えば、地色外領域に文字・網点・線・イメージなどの画像の種類の異なる画像領域が含まれる画像が入力されてしまうと、ユーザの希望する判定結果が得られないという前述の問題があった。
【０００６】
つまり、特許文献１の技術は、文字や網点、線、イメージなど種類の異なる画像領域が含まれる入力画像全体をＡＣＳ処理の対象としてしまうとユーザの希望する判定結果が得られないという問題があった。
【０００７】
これらは画像形成装置に限った問題ではなく、カラー画像とモノクロ画像を入力することができる画像処理装置全般に共通する問題であった。
【０００８】
本発明の目的は、文字・網点・線・イメージなどの画像の種類の異なる画像領域が含まれる画像が入力されたとしてもユーザの希望するＡＣＳ結果が得られる画像処理装置及び画像処理方法を提供することにある。
【課題を解決するための手段】
【０００９】
上記課題は以下の手段によって解決される。
【００１０】
（１）画像の入力を受け付ける画像入力手段と、入力された前記画像を、画像の種類に応じて少なくとも２つの画像領域に分離する領域判別手段と、前記画像の種類に応じて分離された画像領域ごとに有彩色か無彩色かを判定する領域別ＡＣＳ手段と、前記領域別ＡＣＳ手段による領域ごとの判定結果に基づき、前記入力された画像が有彩色か無彩色かを判定する原稿ＡＣＳ手段と、前記原稿ＡＣＳ手段の判定結果に対応する画像処理が施された画像を出力する出力手段とを備える画像処理装置。
【００１１】
（２）ユーザから、前記入力された画像のカラーモードの設定として有彩色と無彩色とのいずれかを受け付ける受付手段と、受け付けた前記カラーモードの設定と前記原稿ＡＣＳ手段の判定結果とが異なるか否かを判断する第１の判断手段と、前記第１の判断手段により前記受け付けたカラーモードの設定と前記原稿ＡＣＳ手段の判定結果とが異なると判断された場合に、前記領域別ＡＣＳ手段が用いる判定条件を調整するＡＣＳ条件調整手段とを更に備える（１）に記載の画像処理装置。
【００１２】
（３）ユーザから、前記原稿ＡＣＳ手段による判定結果を採用するか否かの入力を受け付ける受付部と、前記受付部が受け付けた入力が前記原稿ＡＣＳ手段による判定結果を採用しないものである場合に、前記領域別ＡＣＳ手段が用いる判定条件を調整するＡＣＳ条件調整手段とを更に備える（１）に記載の画像処理装置。
【００１３】
（４）前記ＡＣＳ条件調整手段は、前記領域別ＡＣＳ手段が用いる判定条件を前記受付手段が受け付けたカラーモード側に調整する（２）に記載の画像処理装置。
【００１４】
（５）前記領域別ＡＣＳ手段のそれぞれについて、当該領域別ＡＣＳ手段の判定結果と前記受け付けたカラーモードの設定とが異なるか否かを判断する第２の判断手段を更に有し、前記ＡＣＳ条件調整手段は、前記第２の判断手段により前記受け付けたカラーモードの設定と異なる判定結果であると判断された前記領域別ＡＣＳ手段が用いる判定条件を調整する（２）または（４）に記載の画像処理装置。
【００１５】
（６）前記ＡＣＳ条件調整手段は、前記第２の判断手段により前記受け付けたカラーモードの設定と異なる判定結果であると判断された前記領域別ＡＣＳ手段が用いる判定条件を、前記受け付けたカラーモード側に調整する（５）に記載の画像処理装置。
【００１６】
（７）前記画像処理装置は、当該画像処理装置を使用するユーザごとに前記領域別ＡＣＳ手段が用いる判断条件に関する情報を記憶するとともに前記画像処理装置を使用するユーザを識別するユーザ認証部に接続され、
前記領域別ＡＣＳ手段は、前記ユーザ認証部により識別されたユーザに対応する前記判定条件に基づいて、前記分離された画像領域ごとに有彩色か無彩色かを判定する（１）〜（６）のいずれか一に記載の画像処理装置。
【００１７】
（８）前記ＡＣＳ条件調整手段は、前記識別されたユーザに対応する判定条件を調整する（７）に記載の画像処理装置。
【００１８】
（９）前記ＡＣＳ条件調整手段が前記認証されたユーザに対応する判定条件を調整した場合に、前記ＡＣＳ条件調整手段は、当該調整後の判定条件に基づき、前記ユーザ認証部に記憶された、前記認証されたユーザに対応する判定条件に関する情報を更新する（８）に記載の画像処理装置。
【００１９】
（１０）画像処理装置により実行される画像処理方法であって、画像の入力を受け付ける画像入力ステップと、入力された前記画像を、画像の種類に応じて少なくとも２つの画像領域に分離する領域判別ステップと、前記画像の種類に応じて分離された画像領域ごとに有彩色か無彩色かを判定する領域別ＡＣＳステップと、前記領域別ＡＣＳステップにおける領域ごとの判定結果に基づき、前記入力された画像が有彩色か無彩色かを判定する原稿ＡＣＳステップと、前記原稿ＡＣＳステップにおける判定結果に対応する画像処理が施された画像を出力する出力ステップとを備える画像処理方法。
【００２０】
（１１）ユーザから、前記入力された画像のカラーモードの設定として有彩色と無彩色とのいずれかを受け付ける受付ステップと、受け付けた前記カラーモードの設定と前記原稿ＡＣＳステップにおける判定結果とが異なるか否かを判断する第１の判断ステップと、  前記第１の判断ステップにおいて、前記受け付けたカラーモードの設定と前記原稿ＡＣＳステップにおける判定結果とが異なると判断された場合に、前記領域別ＡＣＳステップにおいて用いられる判定条件を調整するＡＣＳ条件調整ステップとを更に備える（１０）に記載の画像処理方法。
【発明の効果】
【００２１】
画像の種類の異なる画像領域が含まれる画像が入力されたとしても、精度の高いＡＣＳ結果を得ることができる。
【図面の簡単な説明】
【００２２】
【図１】本発明に係る画像処理装置３を備えたＭＦＰ１の構成を示す摸式断面図である。
【図２】操作パネル部１１の平面図である。
【図３】ＭＦＰ１の制御構成を示すブロック図である。
【図４】ＡＣＳ条件を自動的に調整する際に全体制御部２５が行う処理の内容を示すフローチャートである。
【図５】ＡＣＳ条件自動調整機能の有効／無効を設定する際に液晶タッチパネル１２に表示される画面の一例である。
【図６】図４に示すフローチャートのＳ１０５の処理において液晶タッチパネル１２に表示される画面の一例を示す。
【図７】画像処理装置３の処理内容を示すブロック図である。
【図８】ＡＣＳ処理部２７の処理内容を示すブロック図である。
【図９】画素色判定部３６が行う判定処理の内容を説明する図である。
【図１０】画素カウント部３７が行う処理の内容を説明する図である。
【図１１】画素カウント部３７が出力するデータの構造を示す図である。
【図１２】領域別色判定部３８が、文字画素カウント値に基づいて文字領域についての領域別ＡＣＳ結果を決定する際に行う処理の内容を示す図である。
【図１３】ＡＣＳ条件調整部２９が、（ア）〜（オ）に示す判定条件を調整する際に行う処理の内容を示すフローチャートである。
【図１４】図１３に示すフローチャートのＳ３０３・Ｓ３０５で行われる処理の内容を説明する図である。
【図１５】９段階のＡＣＳレベルに応じた文字用無彩色判定リファレンス・文字用有彩色判定リファレンスのデータを示す図である。
【図１６】ユーザ情報記憶部３２が記憶するＡＣＳレベルのデータの一例を示す図である。
【図１７】ＡＣＳレベルをマニュアルで設定する際に液晶タッチパネル１２に表示される画面の一例を示す図である。
【発明を実施するための形態】
【００２３】
以下に本発明の実施形態について説明する。以下の説明においては、同一の構成には同一の記号を付し、それらの名称と機能は同一である。よって、それらについての詳細な説明は繰り返さない。
【００２４】
図１は本発明に係る画像処理装置３を備えたＭｕｌｔｉ  Ｆｕｎｃｔｉｏｎａｌ  Ｐｅｒｉｐｈｅｒａｌ（ＭＦＰ）１の構成を示す摸式断面図である。ＭＦＰ１は、コピー機能とスキャン機能、ファクス機能、プリント機能とを備え、大きくはスキャナ部２と外部インターフェース部１０、画像処理装置３、画像形成部４、操作パネル部１１とから構成される。
【００２５】
スキャナ部２は、原稿を搬送する原稿搬送部５と原稿の画像を読み取る画像読取部６とを備える。画像読取部６は、原稿からの反射光をＲ（赤）・Ｇ（緑）・Ｂ（青）色に対応するアナログ電気信号に変換した後に、そのアナログ信号をデジタルデータに変換し、変換されたデジタルデータ（以下、スキャンデータという）を画像処理装置３に出力する。
【００２６】
外部インターフェース部１０は、ローカルエリアネットワーク（ＬＡＮ）、ワイドエリアネットワーク（ＷＡＮ）、インターネット等の図示省略のネットワークと図示省略の公衆電話交換回線網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）とに接続され、ネットワークおよびＰＳＴＮに接続された他の装置との間でデータの送受信を行う。
【００２７】
具体的には、外部インターフェース部１０は、ネットワークに接続された図示省略のパーソナルコンピュータ（ＰＣ）からプリントデータを受信する。また、外部インターフェース部１０は画像データが添付されたメールをネットワークに接続された図示省略のメールサーバに送信する。また、外部インターフェース部１０はＰＳＴＮに接続された他のファクス装置との間でファクスデータを送受信する。
【００２８】
画像処理装置３は、スキャナ部２から出力されたスキャンデータや、外部インターフェース部１０によって受信されたプリントデータ・ファクスデータに対し、所定の画像処理を行う。具体的には、画像処理装置３は、入力画像がカラー画像であるかモノクロ画像であるかを自動的に判定する自動カラー判定（ＡＣＳ）処理を行い、ＡＣＳ処理の結果に応じた画像処理を入力画像に施し、画像処理後の画像を出力する。
【００２９】
より詳しくは、画像処理装置３は、入力画像を、画像の種類に応じて、文字領域・網点領域・線領域・イメージ領域の４つの画像領域に分離し、分離された画像領域ごと個別にＡＣＳ処理を行い、その画像領域別のＡＣＳ処理の結果に基づいて入力画像（原稿）全体としてのＡＣＳ結果を決定する。以下において、分離された画像領域ごとに行うＡＣＳ処理のことを領域別ＡＣＳ処理といい、領域別ＡＣＳ処理の結果に基づいて原稿全体としてのＡＣＳ結果を決定することを原稿ＡＣＳ処理といい、それぞれの処理結果のことを領域別ＡＣＳ結果、原稿ＡＣＳ結果という。また、領域別ＡＣＳ処理と原稿ＡＣＳ処理とを合わせた全体の処理を総称してＡＣＳ処理という。画像処理装置３が行うＡＣＳ処理の詳しい説明は後述する。なお、文字領域・網点領域・線領域とは、その名のとおり文字画像・網点画像・線画像が存在している画像領域のことをいい、イメージ領域とは、文字領域・網点領域・線領域のいずれにも属さない、例えば銀塩写真の読み取り画像や下地（画像が印刷されていない）領域のことをいう。
【００３０】
画像処理装置３から出力された画像データは、ＭＦＰ１の機能モードに応じて以下のように処理される。コピー機能モード・プリント機能モードのときは、画像形成部４が、画像処理装置３から出力された画像を紙などの記憶媒体上に画像形成する。スキャン機能モードのときは、外部インターフェース部１０が、画像処理装置３から出力された画像が添付されたメールをメールサーバに送信する。ファクス機能モードのときは、外部インターフェース部１０が、画像処理装置３から出力された画像をファクスデータに変換し、その画像を他のファクス装置に送信する。
【００３１】
画像形成部４は、紙などの記録媒体に画像を形成する作像部７と、画像形成される前の記録媒体を格納する給紙カセット８と、画像形成された後の記録媒体が排出される排出トレイ９とを備える。作像部７は、画像処理装置３から出力された画像データに基づいて半導体レーザを駆動して感光体上に静電潜像を形成し、その静電潜像をＹ（イエロー）・Ｍ（マゼンタ）・Ｃ（シアン）・Ｋ（ブラック）色のトナーで現像した後に、現像されたトナー像を記録媒体に転写・定着して記録媒体上に画像を形成する。
【００３２】
操作パネル部１１は、ＭＦＰ１に関する情報を表示するとともに、ユーザからの入力を受け付ける。図２は操作パネル部１１の平面図である。操作パネル部１１は、液晶タッチパネル１２とハードキー１３とを備える。液晶タッチパネル１２は、ＭＦＰ１の状態や設定などの情報を表示するＬＣＤ（Ｌｉｑｕｉｄ  Ｃｒｙｓｔａｌ  Ｄｉｓｐｌａｙ）１４とユーザからの入力を受け付けるタッチパネル１５とから構成される。ハードキー１３には、動作開始の指示をするためのスタートキー１６と、動作の停止を指示するためのストップキー１７、設定を初期化するためのリセットキー１８、機能モードを選択するための機能選択キー１９、数値等を入力するためのテンキー２０、入力した数値をクリアするためのクリアキー２１とが含まれる。
【００３３】
図３は、ＭＦＰ１の制御構成を示すブロック図である。ＭＦＰ１は、ＲＯＭ２２と、ＲＡＭ２３、スキャナ部２、画像処理装置３である画像処理部３、外部インターフェース部１０、操作パネル部１１、ユーザ認証部２４とが、全体制御部２５に接続された構成となっている。
【００３４】
全体制御部２５はＣＰＵであり、ＲＯＭ２２に記憶された制御プログラムを読み込み、ＭＦＰ１全体の動作を制御する。ＲＡＭ２３は全体制御部２５が動作する際の作業領域となる。
【００３５】
画像処理部３は、領域判別を行う領域判別部２６と、ＡＣＳ処理を行うＡＣＳ処理部２７、色変換処理を行う色変換部２８、ＡＣＳ処理に用いられる判定条件（以下、ＡＣＳ条件という）を自動的に調整して調整後のＡＣＳ条件をＡＣＳ処理部２７に出力するＡＣＳ条件調整部２９とから構成される。
【００３６】
ＡＣＳ処理部２７は、領域別ＡＣＳ処理を行う領域別ＡＣＳ処理部３０と、原稿ＡＣＳ処理を行う原稿ＡＣＳ処理部３１とを含む。
【００３７】
ユーザ認証部２４はユーザ情報記憶部３２と認証処理部３３から構成される。ユーザ情報記憶部３２は、ユーザごとに、ユーザ名・パスワード・ＡＣＳレベルの情報を記憶する。ＡＣＳレベルについての説明は後述する。認証処理部３３は、ユーザが入力したユーザ名・パスワードと、ユーザ情報記憶部３２が記憶するユーザ名・パスワードとを比較することでユーザ認証を行い、認証されたユーザに対してＭＦＰ１の利用を許可する。ユーザ認証部２４が認証を行うことにより、画像処理装置３はＭＦＰ１を利用しているユーザを識別することができる。
【００３８】
ＭＦＰ１は、出力画像のカラー設定として、オートカラー・フルカラー・モノクロという３つの設定値を持つ。オートカラー設定とは、ＭＦＰ１がＡＣＳ処理を行い、原稿ＡＣＳ結果に応じて出力画像のカラーモードを自動的に選択するカラー設定である。すなわち、原稿ＡＣＳ結果がカラー（有彩色）であったときはフルカラーモードで出力し、原稿ＡＣＳ結果がモノクロ（無彩色）であったときはモノクロモードで出力する。一方、フルカラー設定・モノクロ設定は、出力画像のカラーモードをユーザが手動で選択するカラー設定である。なお、以下において、カラー設定として、フルカラー設定またはモノクロ設定が選択されることを「カラー設定がマニュアル設定される」ということがある。
【００３９】
ＭＦＰ１は、原稿ＡＣＳ結果がユーザが希望する判定結果（以下、希望結果という）と異なった場合、例えば、コピー機能モードにおいて赤色の文字を含む原稿を読み込ませたときに、カラーと判定されることをユーザが希望したにも関わらずモノクロと判定された場合に、ＡＣＳ条件を自動的に調整する機能（以下、ＡＣＳ条件自動調整機能という）を備える。すなわち、ＭＦＰ１は、自機が行ったＡＣＳ処理の結果（原稿ＡＣＳ結果）がユーザの希望結果と一致しているか否かを判断し、一致していない場合にＡＣＳ条件の自動調整を行う。
【００４０】
図４は、ＡＣＳ条件を自動的に調整する際に全体制御部２５が行う処理の内容を示すフローチャートである。全体制御部２５は、ＲＯＭ２２に記憶されたプログラムを読み込み、そのプログラムに基づいて図４に示すフローチャートの処理を行う。
【００４１】
図４に示すフローチャートの処理は、大きくは、カラー設定としてオートカラーが設定されたジョブに対する処理と（Ｓ１０３〜Ｓ１０９）、カラー設定がマニュアル設定されたジョブに対する処理と（Ｓ１１０〜Ｓ１１４）に分けられる。
【００４２】
なお、ＡＣＳ条件を自動的に調整するか否か、つまりＡＣＳ条件自動調整機能を有効にするか無効にするか（有効／無効）については、ユーザごとに設定することが可能であり、その設定情報はユーザ情報としてユーザ情報記憶部２３に記憶されている。
【００４３】
図５は、ＡＣＳ条件自動調整機能の有効／無効を設定する際に液晶タッチパネル１２に表示される画面の一例である。ＡＣＳ条件自動調整機能の有効／無効は、オートカラー設定されたジョブに対する設定と、マニュアル設定されたジョブに対する設定とをそれぞれ独立に行うことができる。図５の画面は、オートカラー設定されたジョブに対するＡＣＳ条件自動調整機能が有効に設定され、マニュアル設定されたジョブに対する機能が無効に設定されているときに表示される画面である。
【００４４】
ユーザは、例えば、ＭＦＰ１を使い始めたばかりで希望する原稿ＡＣＳ結果が得られない期間はＡＣＳ条件自動調整機能を有効にし、希望する原稿ＡＣＳ結果が得られるようになった後はＡＣＳ条件自動調整機能を無効にして、ＡＣＳ条件を自動的に調整できるという利便性とジョブ実行時の生産性とを両立させることができる。
【００４５】
以下に、図４のフローチャートを参照しながら処理の内容を説明する。
【００４６】
まず、ジョブの実行指示を受け付けたか否かを判断する（ステップＳ１０１、以下、ステップを省略して、単に「Ｓ１０１」のように示す）。ジョブの実行指示を受け付けるとは、例えば、ＭＦＰ１がコピー機能モード・スキャン機能モード・ファクス機能モードで動作するときには、原稿搬送部５に原稿が載せられた状態でスタートキー１６が押されることを意味し、ＭＦＰ１がプリント機能モードで動作するときには、ＰＣからプリント指示が行われることを意味する。
【００４７】
ジョブの実行指示を受け付けていない場合は（Ｓ１０１でＮＯ）、ジョブの実行指示を受け付けるまで待機状態が続く。ジョブの実行指示を受け付けた場合は（Ｓ１０１でＹＥＳ）、受け付けたジョブのカラー設定がオートカラー設定か否かを判断する（Ｓ１０２）。
【００４８】
以下にジョブのカラー設定がオートカラー設定である場合（Ｓ１０２でＹＥＳ）の処理の内容を説明する。
【００４９】
まず、ＡＣＳ処理部２７がＡＣＳ処理を行う。ＡＣＳ処理部２７が行う処理の内容は後述する。
【００５０】
次に、オートカラー設定のジョブに対するＡＣＳ条件自動調整機能が有効か無効かを判断し（Ｓ１０４）、無効である場合は（Ｓ１０４でＮＯ）、ＡＣＳ条件の調整は行わずに、色変換部２８が原稿ＡＣＳ結果に応じた色変換処理を行い（Ｓ１０９）、本フローチャートは終了する。色変換部２８が行う処理の説明は後述する。
【００５１】
Ｓ１０４において、オートカラー設定のジョブに対するＡＣＳ条件自動調整機能が有効であると判断した場合は（Ｓ１０４でＹＥＳ）、ユーザに原稿ＡＣＳ結果を採用するか否かを入力させるための画面を液晶タッチパネル１２に表示し、ユーザからの入力を受け付ける（Ｓ１０５）。言い換えれば、Ｓ１０５では、原稿ＡＣＳ結果を示し、原稿ＡＣＳ結果が希望結果と一致しているか否かをユーザに入力させる。
【００５２】
図６は、Ｓ１０５の処理において、液晶タッチパネル１２に表示される画面の一例を示す。図６は、原稿ＡＣＳ結果がカラーであった場合に表示される画面である。
【００５３】
ユーザは、原稿ＡＣＳ結果が希望結果と一致している場合はキーＫＥＹ１を押すことで原稿ＡＣＳ結果を採用し、一方、原稿ＡＣＳ結果が希望結果と一致していない場合はキーＫＥＹ２を押すことで、出力画像のカラーモードとしてモノクロ（希望結果）を設定する。
【００５４】
図４に戻り、Ｓ１０５においてユーザからの入力を受け付けると、原稿ＡＣＳ結果が希望結果と一致していたか否かが判断され（Ｓ１０６）、希望結果と一致していた場合、つまり図６の画面でキーＫＥＹ１が押された場合は（Ｓ１０６でＹＥＳ）、ＡＣＳ条件の調整は行わずに、色変換部２８が原稿ＡＣＳ結果に応じた色変換処理を行い（Ｓ１０９）、本フローチャートは終了する。
【００５５】
一方、Ｓ１０６において原稿ＡＣＳ結果が希望結果と一致しなかった場合、つまり図６の画面でキーＫＥＹ２が押された場合は、ＡＣＳ条件調整部２９がＡＣＳ条件を調整する処理を行う（Ｓ１０７）。
【００５６】
Ｓ１０７では、ＡＣＳ条件調整部２９はＡＣＳ条件を希望結果側に調整する。例えば、原稿ＡＣＳ結果がカラーであるのに対してユーザの希望結果がモノクロであった場合には、ＡＣＳ条件をモノクロ側に調整する。逆に、原稿ＡＣＳ結果がモノクロであるのに対してユーザの希望結果がカラーであった場合には、ＡＣＳ条件をカラー側に調整する。Ｓ１０７において、ＡＣＳ条件調整部２９が行う処理の詳しい内容は後述する。なお、ＡＣＳ条件をカラー側に調整するとは、次回以降のＡＣＳ処理において原稿ＡＣＳ結果がカラー側に判定されやすくなるようにＡＣＳ条件を調整することをいう。また、ＡＣＳ条件をモノクロ側に調整するとは、次回以降のＡＣＳ処理において原稿ＡＣＳ結果がモノクロ側に判定されやすくなるようにＡＣＳ条件を調整することをいう。
【００５７】
Ｓ１０７の処理が終了すると、色変換部２８が、Ｓ１０５で入力されたユーザの希望結果に応じた色変換処理を行い（Ｓ１０８）、本フローチャートは終了する。
【００５８】
以上がジョブのカラー設定がオートカラーである場合（Ｓ１０２でＹＥＳ）の処理の内容である。以下にジョブのカラー設定がマニュアル設定された場合（Ｓ１０２でＮＯ）の処理の内容を説明する。
【００５９】
まず、マニュアル設定のジョブに対するＡＣＳ条件自動調整機能が有効か無効かを判断し（Ｓ１１０）、無効である場合は（Ｓ１１０でＮＯ）、ＡＣＳ処理およびＡＣＳ条件の調整は行わずに、色変換部２８がマニュアルで設定されたカラー設定に応じて色変換処理を行い（Ｓ１１４）、本フローチャートは終了する。
【００６０】
Ｓ１１０においてマニュアル設定のジョブに対するＡＣＳ条件自動調整機能が有効であると判断した場合は（Ｓ１１０でＹＥＳ）、ＡＣＳ処理部２７がＡＣＳ処理を行う。ＡＣＳ処理部２７が行う処理の内容は後述する。
【００６１】
次に、Ｓ１１１で行ったＡＣＳ処理の原稿ＡＣＳ結果がマニュアル設定されたカラー設定と一致するか否かが判断される（Ｓ１１２）。すなわち、原稿ＡＣＳ結果がカラーである場合はマニュアルでフルカラー設定されているか、原稿ＡＣＳ結果がモノクロであるときはマニュアルでモノクロ設定されているかを判断する。
【００６２】
Ｓ１１２において原稿ＡＣＳ結果がマニュアル設定されたカラー設定と一致する場合には（Ｓ１１２でＹＥＳ）ＡＣＳ条件の調整は行わずに、色変換部２８がマニュアル設定されたカラー設定に応じて色変換処理を行い（Ｓ１１４）、本フローチャートは終了する。
【００６３】
Ｓ１１２において原稿ＡＣＳ結果がマニュアル設定されたカラー設定と一致しないと判断した場合には（Ｓ１１２でＮＯ）、ＡＣＳ条件調整部２９がＡＣＳ条件の調整を行う（Ｓ１１３）。Ｓ１１３でＡＣＳ条件調整部２９が行う処理の内容はＳ１０７と同一であり、詳しい説明は後述する。
【００６４】
Ｓ１１３でＡＣＳ条件を調整した後、色変換部２８がマニュアル設定されたカラー設定応じて色変換処理を行い（Ｓ１１４）、本フローチャートは終了する。
【００６５】
図４に示すフローチャートでは、マニュアル設定のジョブについては、マニュアル設定されたカラー設定をユーザの希望結果とみなして、原稿ＡＣＳ結果とマニュアル設定されたカラー設定とを比較し、それらが一致しない場合にのみ、ＡＣＳ条件の調整を行うようにしている。こうすることによって、カラー設定がマニュアル設定された場合は、ユーザが別途希望結果を入力する必要がなくなり、ユーザの操作性・利便性を高めることができる。
【００６６】
また、従来の画像形成装置では、ユーザの期待する判定結果が得られない場合には画像形成装置の管理者や一般ユーザが、ＡＣＳ処理に用いられる判定条件をマニュアルで調整する必要があったが、期待どおりの判定結果が得られるように調整することは難しく、判定条件を適切に調整することは管理者や一般ユーザにとって大きな負担となっていた。
【００６７】
本実施形態のＭＦＰ１は、前述のように、原稿ＡＣＳ結果がユーザの希望結果と一致しない場合に、希望結果側にＡＣＳ条件を自動的に調整するため、ユーザに負担をかけることなく、ユーザの希望する原稿ＡＣＳ結果が得られるようにＡＣＳ条件を調整することができる。
【００６８】
図７は、画像処理装置３の処理内容を示すブロック図である。図７において、［  ］が付されているデータは原稿ごとに対応していることを示し、［  ］が付されていないデータは画素ごとに対応していることを示す。例えば、画像処理装置３に入力される入力画像データ（Ｒ・Ｇ・Ｂ）や領域判別部２６から出力される領域信号（ＪＤＧ）は画素に対応するデータであり画素毎に入出力が行われる。一方、ＡＣＳ処理部２７から出力される原稿ＡＣＳ結果（ＡＣＳ）やＡＣＳ条件調整部２９から出力されるＡＣＳ条件（ＲＥＦ）は原稿に対応する信号であり原稿ごとに出力される。図８においても、［  ］が付されているデータは原稿ごとに対応していることを示し、［  ］が付されていないデータは画素ごとに対応していることを示す。そのことに関する説明は繰り返さない。
【００６９】
図７を参照して、画像処理装置３は、領域判別部２６が入力画像データ（Ｒ・Ｇ・Ｂ）に対して領域判別処理を行い、ＡＣＳ条件調整部２９がＡＣＳ条件を自動的に調整して調整後のＡＣＳ条件（ＲＥＦ）をＡＣＳ処理部２７に出力し、ＡＣＳ処理部２７が入力画像データ（Ｒ・Ｇ・Ｂ）と領域信号（ＪＤＧ）とＡＣＳ条件（ＲＥＦ）とに基づいてＡＣＳ処理を行って原稿ＡＣＳ結果（ＡＣＳ）を出力し、色変換部２８が入力画像データ（Ｒ・Ｇ・Ｂ）に対して原稿ＡＣＳ結果（ＡＣＳ）に応じた色変換処理を行い、色変換後のデータ（Ｙ・Ｍ・Ｃ・Ｋ）を出力する構成となっている。
【００７０】
領域判別部２６は、入力画像データのそれぞれの画素について、画素周辺の所定領域の画像の特徴に基づき、画像の種類を判別する。具体的には、それぞれの画素を、画像の種類に応じて、文字画像領域に含まれる画素（以下、単に、文字領域画素のように示す）・網点領域画素・線領域画素・イメージ領域画素のいずれかに分類し、画素ごとにその画素が含まれる画像の種類を示す領域信号（ＪＤＧ）を出力する。
【００７１】
ＡＣＳ処理部２７は、領域判別部２６から出力される領域信号（ＪＤＧ）と、入力画像データと（Ｒ・Ｇ・Ｂ）、ＡＣＳ条件調整部２９から出力されるＡＣＳ条件（ＲＥＦ）とに基づきＡＣＳ処理を行う。
【００７２】
また、ＡＣＳ処理部２７は、ＡＣＳ条件調整部２９に対し、領域別ＡＣＳ結果（Ｆ＿ＡＣＳ）と原稿ＡＣＳ結果（ＡＣＳ）と領域別の彩度・明度の平均値（ＡＶＥ）を出力する。これらのデータはＡＣＳ条件調整部２９がＡＣＳ条件を調整するために用いるものである。なお、領域別ＡＣＳ結果と、領域別の彩度・明度の平均値と、ＡＣＳ処理部２７が行う詳しい処理の内容については後述する。
【００７３】
ＡＣＳ条件調整部２９は、ＡＣＳ処理部２７から出力される領域別ＡＣＳ結果（Ｆ＿ＡＣＳ）と原稿ＡＣＳ結果（ＡＣＳ）と領域別の彩度・明度の平均値（ＡＶＥ）とに基づいてＡＣＳ条件を自動的に調整し、調整後のＡＣＳ条件（ＲＥＦ）をＡＣＳ処理部２７に出力する。ＡＣＳ条件調整部２９が行う詳しい処理の内容は後述する。
【００７４】
色変換部２８は、入力画像データ（Ｒ・Ｇ・Ｂ）に対し、原稿ＡＣＳ結果またはマニュアル設定されたカラー設定に応じた色変換処理を行う。例えば、ＭＦＰ１がコピー機能モードやプリント機能モードの場合は、原稿ＡＣＳ結果がカラーであればＲＧＢデータをＹＭＣＫデータに変換し、原稿ＡＣＳ結果がモノクロであればＲＧＢデータをモノクロ（Ｋ）データに変換する。また、ＭＦＰ１がスキャン機能モードの場合は、原稿ＡＣＳ結果がカラーであればＲＧＢデータをｓＲＧＢデータに色変換し、原稿ＡＣＳ結果がモノクロであればＲＧＢデータをモノクロ（ｓＶ）データに変換する。色変換部２８は、カラー設定がマニュアル設定された場合も、前述と同様にマニュアル設定されたカラー設定に応じた色変換処理を行う。
【００７５】
図８は、ＡＣＳ処理部２７の処理内容を示すブロック図である。
【００７６】
図８を参照して、ＡＣＳ処理部２７は、彩度算出部３４・明度算出部３５が入力画像データ（Ｒ・Ｇ・Ｂ）に基づき各画素の彩度値（Ｗ）・明度値（Ｖ）をそれぞれ算出し、画素色判定部３６が彩度値と明度値に基づき画素色を判定し、画素カウント部３７が領域別・画素色別の画素数をカウントし、領域別色判定部３８が領域別・画素色別の画素カウント結果に基づき領域別ＡＣＳ結果を決定し、原稿ＡＣＳ処理部３１が領域別ＡＣＳ結果に基づき原稿ＡＣＳ結果を決定し、その原稿ＡＣＳ結果を色変換部２８に出力する構成となっている。ＡＣＳ処理部２７は、更に、領域別の彩度・明度の平均値を求める平均値算出部４０を備え、求めた平均値（ＡＶＥ）をＡＣＳ条件調整部２９に出力する。なお、彩度算出部３４と明度算出部３５、画素色判定部３６、画素カウント部３７、領域別色判定部３８とをまとめたものが、領域別ＡＣＳ処理部３０となっている。
【００７７】
彩度算出部３４は、入力画像データであるＲ・Ｇ・Ｂの画素値の最大値と最小値を求め、最大値から最小値を減算した値を彩度値（Ｗ）とする。彩度値の算出式は式（１）で示される。
【００７８】
彩度値（Ｗ）＝Ｍａｘ（Ｒ，Ｇ，Ｂ）−Ｍｉｎ（Ｒ，Ｇ，Ｂ）・・・式（１）
明度算出部３５は、入力画像データであるＲ・Ｇ・Ｂそれぞれの画素値に所定の係数を乗算し、それらを合計したものを明度値（Ｖ）とする。明度値の算出式は、α・β・γを所定の係数として、式（２）で示される。
【００７９】
明度値（Ｖ）＝α×Ｒ＋β×Ｇ＋γ×Ｂ・・・式（２）
画素色判定部３６は、彩度算出部３４・明度算出部３５で算出された彩度値（Ｗ）と明度値（Ｖ）とから、画素色を判定する。画素色を判定するとは、処理対象画素が、有彩色画素であるか、無彩色画素であるか、有彩色とも無彩色とも判定できない不明色画素であるかを判定することである。
【００８０】
画素色判定部３６は、画素色を判定する判定条件である画素色判定リファレンスに基づき画素色の判定を行い、画素色信号（Ｃ＿ＤＯＴ）を出力する。なお、画素色判定リファレンスは、ＡＣＳ条件調整部２９から出力されるＡＣＳ条件（ＲＥＦ）に含まれる一つの条件である。
【００８１】
図９は、画素色判定部３６が行う判定処理の内容を説明する図である。画素色判定リファレンスは、明度値（Ｖ）を横軸とし彩度値（Ｗ）を縦軸とした明度−彩度平面上の関数であり、有彩色と不明色との境界を示す有彩色判定リファレンス（Ｃ＿Ｒｅｆ）と、無彩色と不明色との境界を示す無彩色判定リファレンス（Ｍ＿Ｒｅｆ）から構成される。
【００８２】
画素色判定部３６は、処理対象画素の彩度値（Ｗ）と明度値（Ｖ）の明度−彩度平面上の座標（Ｖ，Ｗ）が有彩色判定リファレンス（Ｃ＿Ｒｅｆ）よりも上である場合に処理対象画素を有彩色画素であると判定し、処理対象画素の座標（Ｖ，Ｗ）が無彩色判定リファレンス（Ｍ＿Ｒｅｆ）よりも下である場合に処理対象画素を無彩色画素と判定し、処理対象画素の座標が有彩色判定リファレンス以下で且つ無彩色判定リファレンス以上の場合は、処理対象画素を不明色画素と判定する。
【００８３】
ＡＣＳ条件調整部２９からは、画素色判定リファレンスとして、文字領域・網点領域・線領域・イメージ領域それぞれに対応するデータが個別に出力されており、画素色判定部３６は、領域信号（ＪＤＧ）をもとに処理対象画素の画像領域を判断し、処理対象画素の画像領域に応じた画素色判定リファレンスに基づいて画素色の判定を行う。
【００８４】
具体的には、画素色判定部３６は、処理対象画素が文字領域画素である場合は、文字用無彩色判定リファレンス（ＴＭ＿Ｒｅｆ）と文字用有彩色判定リファレンス（ＴＣ＿Ｒｅｆ）に基づいて画素色を判定し、網点領域画素である場合は、網点用無彩色判定リファレンス（ＡＭ＿Ｒｅｆ）と網点用有彩色判定リファレンス（ＡＣ＿Ｒｅｆ）に基づいて画素色を判定し、線領域画素である場合は、線用無彩色判定リファレンス（ＬＭ＿Ｒｅｆ）と線用有彩色判定リファレンス（ＬＣ＿Ｒｅｆ）に基づいて画素色を判定し、イメージ領域画素である場合は、イメージ用無彩色判定リファレンス（ＩＭ＿Ｒｅｆ）とイメージ用有彩色判定リファレンス（ＩＣ＿Ｒｅｆ）に基づいて画素色を判定する。
【００８５】
画素カウント部３７は、画素色判定部３６から出力される画素色信号（Ｃ＿ＤＯＴ）と領域信号（ＪＤＧ）に基づき下記（ａ）〜（ｌ）に示すカウント値を求める。
【００８６】
（ａ）文字＆無彩色画素カウント値（ＴＭ＿ＣＮＴ）
（ｂ）文字＆不明色画素カウント値（ＴＮ＿ＣＮＴ）
（ｃ）文字＆有彩色画素カウント値（ＴＣ＿ＣＮＴ）
（ｄ）網点＆無彩色画素カウント値（ＡＭ＿ＣＮＴ）
（ｅ）網点＆不明色画素カウント値（ＡＮ＿ＣＮＴ）
（ｆ）網点＆有彩色画素カウント値（ＡＣ＿ＣＮＴ）
（ｇ）線＆無彩色画素カウント値（ＬＭ＿ＣＮＴ）
（ｈ）線＆不明色画素カウント値（ＬＮ＿ＣＮＴ）
（ｉ）線＆有彩色画素カウント値（ＬＣ＿ＣＮＴ）
（ｊ）イメージ＆無彩色画素カウント値（ＩＭ＿ＣＮＴ）
（ｋ）イメージ＆不明色画素カウント値（ＩＮ＿ＣＮＴ）
（ｌ）イメージ＆有彩色画素カウント値（ＩＣ＿ＣＮＴ）
前記（ａ）に示した文字＆無彩色画素とは、文字領域画素であり且つ無彩色画素である画素のことをいい、（ｂ）の文字＆不明色画素とは文字領域画素であり且つ不明色画素である画素のことをいい、文字＆有彩色画素とは文字領域画素であり且つ有彩色画素である画素のことをいう。その他（ｄ）〜（ｌ）についても同様であり、説明は省略する。
【００８７】
図１０は、画素カウント部３７が行う処理の内容を説明する図である。画素カウント部３７は、図１０のように、入力画像を所定サイズのブロックに分割し、それぞれのブロックごとに前記（ａ）〜（ｌ）のカウント値を求める。ブロックの分割数は入力画像のサイズに応じて変化するが、以下の説明おいては、図１０に示すように、入力画像データを主走査方向に１６分割・副走査方向に３２分割（画像全体で５１２分割）した場合について説明する。図１０において、（  ）内の数字はブロックを識別する番号（以下、ブロック番号ということがある）を示す。  
【００８８】
図１１は、画素カウント部３７が出力するデータの構造を示す図である。画素カウント部３７が出力するデータは、分割された５１２個のブロックそれぞれについて前記（ａ）〜（ｌ）のカウント値を持つ構造となっている。
【００８９】
以下の説明においては、文字＆無彩色画素のカウント値（ＴＭ＿ＣＮＴ）と、文字＆不明色画素のカウント値（ＴＮ＿ＣＮＴ）と、文字＆有彩色画素のカウント値（ＴＣ＿ＣＮＴ）とを総称して文字画素カウント値（Ｔ＿ＣＮＴ）ということがある。同様に、前記（ｄ）〜（ｆ）のカウント値を網点画素カウント値（Ａ＿ＣＮＴ）と、前記（ｇ）〜（ｉ）のカウント値を線画素カウント値（Ｌ＿ＣＮＴ）と、前記（ｊ）〜（ｌ）のカウント値をイメージ画素カウント値（Ｉ＿ＣＮＴ）と総称することがある。
【００９０】
領域別色判定部３８は、画素カウント部３７から出力された領域別の画素カウント値（Ｔ＿ＣＮＴ、Ａ＿ＣＮＴ、Ｌ＿ＣＮＴ、Ｉ＿ＣＮＴ）に基づいて、領域別ＡＣＳ結果（Ｔ＿ＡＣＳ、Ａ＿ＡＣＳ、Ｌ＿ＡＣＳ、Ｉ＿ＡＣＳ）を決定し、その結果を原稿ＡＣＳ処理部３１とＡＣＳ条件調整部２９に出力する。
【００９１】
図１２は、領域別色判定部３８が、文字画素カウント値（Ｔ＿ＣＮＴ）に基づいて文字領域についての領域別ＡＣＳ結果（Ｔ＿ＡＣＳ、以下、単に「文字領域ＡＣＳ結果」のようにいうことがある）を決定する際に行う処理の内容を示す。本フローチャートにおいては、図１０に示すブロックごとに有彩色ブロックであるか否かを判定し、原稿内に有彩色ブロックが所定数以上ある場合は文字領域ＡＣＳ結果を有彩色に決定し、有彩色ブロックが所定数に満たない場合は文字領域ＡＣＳ結果を無彩色に決定する。以下に図１２のフローチャートを参照しながら処理の内容を説明する。
【００９２】
まず、処理対象とするブロック番号を示す番号ｎと、原稿内の有彩色ブロック数を示すＢ＿ＣＮＴの値を０に初期化する（Ｓ２０１）。
【００９３】
次に、ｎ番目のブロックについて、ブロック内の全画素数に対するブロックに含まれる文字領域画素数の比率が所定値（文字用画素比しきい値（Ｔ１））以上であるか否を判断する（Ｓ２０２）。具体的には、ｎ番目のブロックに含まれる、文字＆無彩色画素のカウント値（ＴＭ＿ＣＮＴ）と、文字＆不明色画素のカウント値（ＴＮ＿ＣＮＴ）と、文字＆有彩色画素のカウント値（ＴＣ＿ＣＮＴ）とを合計することによりブロック内の文字領域画素数を求め、その値をｎ番目のブロックの全画素数で除算して、ブロックの全画素数に対する文字領域画素数の比率を算出し、その比率が文字用画素比しきい値（Ｔ１）以上であるか否かを判断する。
【００９４】
文字領域画素数の比率が文字用画素比しきい値（Ｔ１）以上であると判断した場合は（Ｓ２０２でＹＥＳ）、文字領域画素数に対する文字＆有彩色画素のカウント値（ＴＣ＿ＣＮＴ）の比率が所定値（文字用ブロック色判定しきい値（Ｔ２））以上であるか否かを判断し（Ｓ２０３）、文字＆有彩色画素のカウント値の比率が文字用ブロック色判定しきい値（Ｔ２）以上である場合に（Ｓ２０３でＹＥＳ）、ｎ番目のブロックを有彩色ブロックと判定し（Ｓ２０４）、有彩色ブロック数（Ｂ＿ＣＮＴ）に１を加算する（Ｓ２０５）。
【００９５】
つまり、前記Ｓ２０２〜Ｓ２０５においては、所定比率以上の文字領域画素を含み（Ｓ２０２でＹＥＳ）且つ文字領域画素の中に所定比率以上の有彩色画素を含む（Ｓ２０３でＹＥＳ）ブロックを有彩色ブロックと判定して（Ｓ２０４）、有彩色ブロック数に１を加算して（Ｓ２０５）、Ｓ２０６に進む。
【００９６】
一方、所定比率以上の文字領域画素を含まないブロック（Ｓ２０２でＮＯ）または文字領域画素の中に所定比率以上の有彩色画素を含まないブロック（Ｓ２０３でＮＯ）を有彩色ブロックではないと判断して、有彩色ブロック数は変更せずにＳ２０６に進む。
【００９７】
なお、Ｓ２０２では、ブロック色の判定精度を上げることを目的として、所定比率以上の文字領域画素を含まないブロックは有彩色ブロックではないと判定している。その理由は、例えば、ブロック内の文字領域画素がわずか数個の場合に、その文字領域画素の全てが有彩色画素だからといってそのブロックを有彩色と判定してしまうと、ブロック色の判定精度が低下して原稿ＡＣＳ結果が誤判定となる確率を高めてしまうからである。
【００９８】
次に、Ｓ２０６において有彩色ブロック数（Ｂ＿ＣＮＴ）が所定値（文字用原稿色判定しきい値（Ｔ３））以上であるか否かを判断し、文字用原稿色判定しきい値（Ｔ３）以上である場合は（Ｓ２０６でＹＥＳ）、文字領域ＡＣＳ結果（Ｔ＿ＡＣＳ）を有彩色に決定し（Ｓ２０７）、本フローチャートの処理を終了する。
【００９９】
一方、Ｓ２０６において有彩色ブロック数（Ｂ＿ＣＮＴ）が文字用原稿色判定しきい値（Ｔ３）に満たないと判断した場合は（Ｓ２０６でＮＯ）、番号ｎが最終のブロック番号であるか否かを判断し（Ｓ２０８）、番号ｎが最終のブロック番号である場合は（Ｓ２０８でＹＥＳ）、文字領域ＡＣＳ結果（Ｔ＿ＡＣＳ）を無彩色に決定し（Ｓ２０９）、本フローチャートの処理を終了する。
【０１００】
Ｓ２０８において、番号ｎが最終のブロック番号でないと判断した場合（Ｓ２０８でＮＯ）は、番号ｎに１を加算して（Ｓ２１０）、Ｓ２０２に戻る。
【０１０１】
Ｓ２０６で有彩色ブロック数（Ｂ＿ＣＮＴ）が文字用原稿色判定しきい値（Ｔ３）以上であると判断するか、Ｓ２０８で番号ｎが最終のブロック番号であると判断するまで、Ｓ２０２〜Ｓ２０６・Ｓ２０８・Ｓ２１０の処理を繰り返す。
【０１０２】
なお、Ｓ２０２・Ｓ２０３・Ｓ２０６で用いる文字用画素比しきい値（Ｔ１）・文字用ブロック色判定しきい値（Ｔ２）・文字用原稿色判定しきい値（Ｔ３）のぞれぞれはＡＣＳ条件に含まれる判定条件の１つであり、これらの判定条件はＡＣＳ条件調整部２９から出力される。
【０１０３】
領域別色判定部３８は、網点領域、線領域、イメージ領域についても、図１２に示すフローチャートと同様の処理を行い、網点画素カウント値（Ａ＿ＣＮＴ）に基づいて網点領域ＡＣＳ結果（Ａ＿ＡＣＳ）を決定し、線画素カウント値（Ｌ＿ＣＮＴ）に基づいて線領域ＡＣＳ結果（Ｌ＿ＡＣＳ）を決定し、イメージ画素カウント値（Ｉ＿ＣＮＴ）に基づいてイメージ領域ＡＣＳ結果（Ｉ＿ＡＣＳ）を決定する。
【０１０４】
後述のように、ＡＣＳ条件調整部２９は、Ｓ２０２・Ｓ２０３・Ｓ２０６で用いられる判定条件を画像領域ごとに個別に出力する。具体的には、ＡＣＳ条件調整部２９は、網点領域ＡＣＳ結果を求める判定条件として網点用画素比しきい値（Ａ１）・網点用ブロック色判定しきい値（Ａ２）・網点用原稿色判定しきい値（Ａ３）を出力し、線領域ＡＣＳ結果を求める判定条件として線用画素比しきい値（Ｌ１）・線用ブロック色判定しきい値（Ｌ２）・線用原稿色判定しきい値（Ｌ３）を出力し、イメージ領域ＡＣＳ結果を求める判定条件としてイメージ用画素比しきい値（Ｉ１）・イメージ用ブロック色判定しきい値（Ｉ２）・イメージ用原稿色判定しきい値（Ｉ３）を出力する。
【０１０５】
領域別色判定部３８は、ＡＣＳ条件調整部２９から出力される画像領域別の判定条件の中から、処理対象としている画像領域に対応する判定条件を選択して、図１２に示すフローチャートと同様の処理を行う。
【０１０６】
原稿ＡＣＳ処理部３１は、領域別色判定部３８（領域別ＡＣＳ処理部３０）から出力される領域別ＡＣＳ結果（Ｔ＿ＡＣＳ・Ａ＿ＡＣＳ・Ｌ＿ＡＣＳ・Ｉ＿ＡＣＳ）に基づき原稿ＡＣＳ結果を決定し、原稿ＡＣＳ結果を色変換部２８とＡＣＳ条件調整部２９に出力する。
【０１０７】
原稿ＡＣＳ処理部３１は、領域別ＡＣＳ結果のうちの少なくとも１つが有彩色である場合に原稿ＡＣＳ結果を有彩色に決定する。言い換えれば、領域別ＡＣＳ結果の全てが無彩色である場合にのみ原稿ＡＣＳ結果を無彩色に決定する。
【０１０８】
平均値算出部４０は、彩度値（Ｗ）と明度値（Ｖ）、画素色信号（Ｃ＿ＤＯＴ）、領域信号（ＪＤＧ）とに基づき、下記（ｍ）〜（ｐ）に示す彩度値・明度値の平均値を算出し、それらの値をＡＣＳ条件調整部２９に出力する。
【０１０９】
（ｍ）文字＆不明色彩度・明度平均値（Ｔ＿ＷＡＶＥ・Ｔ＿ＶＡＶＥ）
（ｎ）網点＆不明色彩度・明度平均値（Ａ＿ＷＡＶＥ・Ａ＿ＶＡＶＥ）
（ｏ）線＆不明色彩度・明度平均値（Ｌ＿ＷＡＶＥ・Ｌ＿ＶＡＶＥ）
（ｐ）イメージ＆不明色彩度・明度平均値（Ｉ＿ＷＡＶＥ・Ｉ＿ＶＡＶＥ）
前記（ｍ）に示す文字＆不明色彩度平均値とは原稿内に含まれる文字領域画素であり且つ不明色画素の彩度値の平均値のことをいい、文字＆不明色明度平均値とは原稿内に含まれる文字領域画素であり且つ不明色画素の明度値の平均値のことをいう。その他（ｎ）〜（ｐ）についても同様であり説明は省略する。
【０１１０】
平均値算出部４０は、例えば、文字＆不明色彩度平均値を算出するときには、領域信号（ＪＤＧ）に基づき文字領域画素か否かを判断し、画素色信号（Ｃ＿ＤＯＴ）に基づき不明色画素か否かを判断して、文字領域画素であり且つ不明色画素である画素の彩度値（Ｖ）を積算し、原稿全体での積算値を求め、その積算値を、原稿全体に含まれる文字領域画素であり且つ不明色画素である画素の画素数で除算することで、その値を求めることができる。（ｍ）〜（ｐ）に示すその他の値についても同様に求めることができ、説明は省略する。
【０１１１】
ＡＣＳ条件調整部２９はＡＣＳ処理部２７に対して、ＡＣＳ条件である下記（ア）〜（ト）の判定条件を出力する。また、ＡＣＳ条件調整部２９は、ＡＣＳ処理部２７から出力される原稿ＡＣＳ結果（ＡＣＳ）と領域別ＡＣＳ結果（Ｆ＿ＡＣＳ）と明度・彩度平均値（ＡＶＥ）とに基づいて下記（ア）〜（ト）の判定条件を調整する。なお、この調整処理は、図４に示すフローチャートのＳ１０７とＳ１１３で行われる処理に該当する。
【０１１２】
（ア）文字用無彩色判定リファレンス（ＴＭ＿Ｒｅｆ）
（イ）文字用有彩色判定リファレンス（ＴＣ＿Ｒｅｆ）
（ウ）文字用画素比しきい値（Ｔ１）
（エ）文字用ブロック色判定しきい値（Ｔ２）
（オ）文字用原稿色判定しきい値（Ｔ３）
（カ）網点用無彩色判定リファレンス（ＡＭ＿Ｒｅｆ）
（キ）網点用有彩色判定リファレンス（ＡＣ＿Ｒｅｆ）
（ク）網点用画素比しきい値（Ａ１）
（エ）網点用ブロック色判定しきい値（Ａ２）
（コ）網点用原稿色判定しきい値（Ａ３）
（サ）線用無彩色判定リファレンス（ＬＭ＿Ｒｅｆ）
（シ）線用有彩色判定リファレンス（ＬＣ＿Ｒｅｆ）
（ス）線用画素比しきい値（Ｌ１）
（セ）線用ブロック色判定しきい値（Ｌ２）
（ソ）線用原稿色判定しきい値（Ｌ３）
（タ）イメージ用無彩色判定リファレンス（ＩＭ＿Ｒｅｆ）
（チ）イメージ用有彩色判定リファレンス（ＩＣ＿Ｒｅｆ）
（ツ）イメージ用画素比しきい値（Ｉ１）
（テ）イメージ用ブロック色判定しきい値（Ｉ２）
（ト）イメージ用原稿色判定しきい値（Ｉ３）
図１３はＡＣＳ条件調整部２９が、前記（ア）〜（オ）に示す判定条件を調整する際に行う処理の内容を示すフローチャートである。このフローチャートにおいては、文字領域ＡＣＳ結果がユーザの希望結果と異なり、且つ文字領域ＡＣＳ結果が誤判定であると判断した場合に、文字領域ＡＣＳ処理に用いるＡＣＳ条件（以下、文字領域ＡＣＳ条件のように示すことがある）である前記（ア）〜（オ）に示す判定条件をユーザの希望結果側に調整する。
【０１１３】
図１３を参照しながら処理の内容を説明する。
【０１１４】
先ず、Ｓ３０１において文字領域ＡＣＳ結果がユーザの希望結果と一致するか否かを判断し、文字領域ＡＣＳ結果とユーザの希望結果が一致する場合は（Ｓ３０１でＹＥＳ）文字領域ＡＣＳ条件の調整を行わずに本フローチャートは終了する。
【０１１５】
一方、文字領域ＡＣＳ結果がユーザの希望結果と異なる場合には（Ｓ３０１でＮＯ）、文字領域ＡＣＳ結果が無彩色であるか否かが判断され（Ｓ３０２）、文字領域ＡＣＳ結果が無彩色である場合は（Ｓ３０２でＹＥＳ）、ＡＣＳ処理部２７から出力された文字＆不明色彩度・明度平均値（Ｔ＿ＷＡＶＥ・Ｔ＿ＶＡＶＥ）の明度−彩度平面上における座標が、文字用有彩色判定リファレンス（ＴＣ＿Ｒｅｆ）の近傍にあるか否かが判断される（Ｓ３０３）。
【０１１６】
図１４（ａ）はＳ３０３で行われる処理の内容を説明する図であり、網掛けされた部分が文字用有彩色判定リファレンスの近傍領域を示している。例えば、文字＆不明色彩度・明度平均値の座標が点Ａであった場合は文字用有彩色判定リファレンスの近傍にあると判断され、点Ｂであった場合は近傍にないと判断される。
【０１１７】
文字＆不明色彩度・明度平均値が文字用有彩色判定リファレンスの近傍にない場合は（Ｓ３０３でＮＯ）、文字領域ＡＣＳ結果は誤判定ではないとみなして、文字領域ＡＣＳ条件の調整は行わずに本フローチャートは終了する。
【０１１８】
文字＆不明色彩度・明度平均値が文字用有彩色判定リファレンスの近傍にない場合（Ｓ３０３でＮＯ）に文字領域ＡＣＳ条件の調整を行わない理由を以下に説明する。
【０１１９】
例えば、入力画像が赤色の文字を含んでいるにも関わらず文字領域ＡＣＳ結果が無彩色であった場合、つまり誤判定をした場合には文字領域ＡＣＳ条件を調整すべきである。一方、入力画像の全ての文字が黒色であるときに文字領域ＡＣＳ結果が無彩色であった場合、つまり正しい判定をした場合には文字領域ＡＣＳ条件を調整すべきではない。
【０１２０】
Ｓ３０３においては、文字領域ＡＣＳ結果が誤判定であるか否かを、文字＆不明色彩度・明度平均値の座標が文字用有彩色判定リファレンスの近傍にあるか否かによって判断している。文字＆不明色彩度・明度平均値の座標が文字用有彩色判定リファレンスの近傍にある場合すなわち不明色画素の彩度が比較的高い場合には、有彩色と判定すべきところを誤って無彩色と判定した可能性が高く、そのような場合は文字領域ＡＣＳ結果が誤りであるとみなしている。一方、文字＆不明色彩度・明度平均値の座標が文字用有彩色判定リファレンスの近傍にない場合、すなわち不明色画素の彩度が比較的低い場合には、無彩色と判定すべきところを正しく無彩色と判定した可能性が高く、そのような場合は文字領域ＡＣＳ結果は正しいとみなしている。
【０１２１】
Ｓ３０３において、文字＆不明色彩度・明度平均値が文字用有彩色判定リファレンスの近傍にあるために文字領域ＡＣＳ結果が誤っているとみなした場合には（Ｓ３０３でＹＥＳ）、Ｓ３０４において文字領域ＡＣＳ条件を有彩色側に調整したのちに本フローチャートの処理を終了する。文字領域ＡＣＳ条件の調整方法の詳しい説明は後述する。なお、文字領域ＡＣＳ条件を有彩色側に調整するとは次回以降の文字領域ＡＣＳ結果が有彩色と判定されやすくなるように文字領域ＡＣＳ条件を調整することをいう。
【０１２２】
一方、Ｓ３０２において文字領域ＡＣＳ結果が有彩色であると判断すると（Ｓ３０２でＮＯ）、文字＆不明色彩度・明度平均値の座標が文字用無彩色判定リファレンスの近傍にあるか否かを判断する（Ｓ３０５）。
【０１２３】
図１４（ｂ）はＳ３０５で行われる処理の内容を説明する図であり、網掛けされた部分が文字用無彩色判定リファレンスの近傍領域を示している。例えば、文字＆不明色彩度・明度平均値の座標が点Ｃであった場合は文字用無彩色判定リファレンスの近傍にあると判断され、点Ｄであった場合は近傍にないと判断される。
【０１２４】
前述のＳ３０３と同様の考え方により、文字＆不明色彩度・明度平均値の座標が文字用無彩色判定リファレンスの近傍にない場合は（Ｓ３０５でＮＯ）、文字領域ＡＣＳ結果は正しいとみなして文字領域ＡＣＳ条件の調整は行わずに本フローチャートの処理を終了する。
【０１２５】
Ｓ３０５において文字＆不明色彩度・明度平均値の座標が文字用無彩色判定リファレンスの近傍にあるために文字領域ＡＣＳ結果が誤判定であるとみなした場合には（Ｓ３０５でＹＥＳ）、文字領域ＡＣＳ条件を無彩色側に調整したのちに（Ｓ３０６）本フローチャートの処理を終了する。なお、文字領域ＡＣＳ条件を無彩色側に調整するとは次回以降の文字領域ＡＣＳ結果が無彩色と判定されやすくなるように文字領域ＡＣＳ条件を調整することをいう。
【０１２６】
Ｓ３０４とＳ３０６で行う文字領域ＡＣＳ条件の調整方法について以下に説明する。
【０１２７】
前記（ア）〜（オ）に示す文字領域ＡＣＳ条件は、「有彩色か否かを判定する際に有彩色と判定される判定のされやすさ」に応じた９段階（−４〜＋４のうちの整数）のレベル（以下、ＡＣＳレベルという）を持ち、ＡＣＳ条件調整部２９が、これら９段階のうちのいずれかのＡＣＳレベルを選択するようになっている。ＡＣＳレベルは、＋４レベルが最も有彩色と判定されやすく、値が小さくなるほど有彩色と判定されにくくなり、−４レベルが最も有彩色と判定されにくいものとなっている。
【０１２８】
ＡＣＳ条件調整部２９は、文字用色判定リファレンスに関して言えば、図１５に示すように９段階のＡＣＳレベルに応じた文字用無彩色判定リファレンス（ＴＭ＿Ｒｅｆ（０）〜（９））・文字用有彩色判定リファレンス（ＴＣ＿Ｒｅｆ（０）〜（９））のデータを記憶し、その時に選択しているＡＣＳレベルに対応したデータをＡＣＳ処理部２７に出力する。図１５において（  ）内の数字はＡＣＳレベルを示す。
【０１２９】
ＡＣＳ条件調整部２９は、Ｓ３０４において文字領域ＡＣＳ条件を有彩色側に調整する際には、今まで選択していたＡＣＳレベルよりも１段階大きなＡＣＳレベルを選択し、選択したＡＣＳレベルに対応した文字用無彩色判定リファレンス・文字用有彩色判定リファレンスを出力する。例えば、前の原稿に対する文字領域ＡＣＳ条件として、レベル０に対応する文字用無彩色判定リファレンス（ＴＭ＿Ｒｅｆ（０））・文字用有彩色判定リファレンス（ＴＣ＿Ｒｅｆ（０））を出力していた場合には、次の原稿に対する文字領域ＡＣＳ条件としてレベル１に対応する文字用無彩色判定リファレンス（ＴＭ＿Ｒｅｆ（１））・文字用有彩色判定リファレンス（ＴＣ＿Ｒｅｆ（１））を出力する。
【０１３０】
ＡＣＳ条件調整部２９は、Ｓ３０６において文字領域ＡＣＳ条件を無彩色側に調整する際には、今まで選択していたＡＣＳレベルよりも１段階小さなＡＣＳレベルを選択し、選択したＡＣＳレベルに対応した文字用画素色判定リファレンスを出力する。
【０１３１】
判定条件調整部２９は、文字用色判定リファレンスだけでなく、文字用画素比しきい値（Ｔ１）・文字用ブロック色判定しきい値（Ｔ２）・文字用原稿色判定しきい値（Ｔ３）についても９段階のＡＣＳレベルに対応するデータを記憶し、選択しているＡＣＳレベルに対応するデータをＡＣＳ処理部２７に出力する。ＡＣＳ条件調整部２９は、こららのＡＣＳ条件についても、Ｓ３０４・Ｓ３０６においてＡＣＳレベルが変更されると、変更後のＡＣＳレベルに対応したデータを出力する。この処理の内容は、文字用色判定リファレンスと同様であるため詳しい説明は省略する。
【０１３２】
なお、Ｓ３０３・Ｓ３０５において、文字＆不明色彩度・明度平均値の座標が近傍にあるか否かを判断する際に比較対象とする文字用有彩色判定リファレンス・文字用無彩色判定リファレンスは、前の原稿に対する文字領域ＡＣＳ処理を実行したときに選択していたＡＣＳレベルに対応するデータを用いる。例えば、前の原稿に対するＡＣＳレベルとしてレベル０を選択していた場合には、Ｓ３０３・Ｓ３０５においては、レベル０に対応する文字用無彩色判定リファレンス（ＴＭ＿Ｒｅｆ（０））・文字用有彩色判定リファレンス（ＴＣ＿Ｒｅｆ（０））の近傍に、文字＆不明色彩度・明度平均値の座標があるか否かを判断する。
【０１３３】
ＡＣＳ条件調整部２９は、（ア）〜（オ）の文字領域ＡＣＳ条件を調整するための処理と同様の処理を行い、（カ）〜（コ）の網点領域ＡＣＳ条件、（サ）〜（ソ）の線領域ＡＣＳ条件、（タ）〜（ト）のイメージ領域ＡＣＳ条件の調整を行う。これらのＡＣＳ条件を調整する処理は、文字領域ＡＣＳ条件を調整する処理と同様であり、説明は省略する。
【０１３４】
図１６は、ユーザ情報記憶部３２が記憶するＡＣＳレベルのデータの一例を示す。ＡＣＳレベルは各ユーザごと個別に記憶され、それぞれのユーザに対するＡＣＳレベルは、文字写真・文字・写真・薄文字という４つの原稿モードごとに、文字・網点・線・イメージという４つの領域に対応づけて記憶されている。なお、原稿モードとは、例えばコピー機能モードにおいて、ユーザがスキャナ部２に読み取らせる原稿に合わせて設定する画質設定のことであり、操作パネル部１１を介して設定される。原稿モードは、スキャン機能モード・ファクス機能モードにおいても操作パネル部１１から設定され、プリント機能モードにおいてはプリントデータを送信するＰＣで動作するプリンタドライバから入力される。
【０１３５】
ＡＣＳ条件調整部２９は、認証処理部３３がユーザ認証処理を行うと、認証されたユーザに対応するＡＣＳレベルの情報をユーザ情報記憶部３２から読み込み、その時に設定されている原稿モードに対応するＡＣＳ条件をＡＣＳ処理部２７に出力する。
【０１３６】
例えば、図１６に示すデータがユーザ情報記憶部３２に記憶されている場合に、ユーザ１が認証され、原稿モードとして文字写真モードが設定されたときには、領域別のＡＣＳレベルは、文字領域がレベル０、網点領域がレベル１、線領域がレベル−１、イメージ領域がレベル０となり、ＡＣＳ条件調整部２９は、それらのレベルに対応するＡＣＳ条件を出力する。その後に、ユーザ１が原稿モードを写真モードに変更した場合は、領域別のＡＣＳレベルは、文字領域がレベル−１、網点領域がレベル−２、線領域がレベル０、イメージ領域がレベル−３となり、ＡＣＳ条件調整部２９は、それらのレベルに対応するＡＣＳ条件を出力する。
【０１３７】
図１３に示すフローチャートのＳ３０４・Ｓ３０６においてＡＣＳレベルが変更された場合は、ユーザ情報記憶部３２が記憶するＡＣＳレベルのデータも更新される。例えば、図１６のデータが記憶されている場合に、ユーザ１が文字写真モードでコピーを行い、図１３のフローチャートのＳ３０６において文字領域と線領域のＡＣＳレベルが１段階下げられた場合は、ユーザ１の文字写真モードに対応するＡＣＳレベルとして、文字領域がレベル−１、網点領域がレベル１、線領域がレベル−２、イメージ領域がレベル０が、ユーザ情報記憶部３２に記憶される。そして、再度、ユーザ１が認証処理を行って、ＭＦＰ１を使用するときには、ＡＣＳ条件調整部２９は更新された後のＡＣＳレベルをユーザ情報記憶部３２から読み込む。
【０１３８】
ＡＣＳレベルはユーザがマニュアルで設定することもできる。図１７は、ＡＣＳレベルをマニュアルで設定する際に液晶タッチパネル１２に表示される画面の一例を示す。ユーザは、キーＫＥＹ７〜キーＫＥＹ１０の中から原稿モードを選択し、キーＫＥＹ３〜キーＫＥＹ６の中から領域を選択して、キーＫＥＹ１１を押すことで、選択した原稿モードと領域に対応するＡＣＳレベルを１段階下げ、キーＫＥＹ１２を押すことでＡＣＳレベルを１段階上げることができる。図１７の画面は、文字写真モードでの網点領域のＡＣＳレベルが−４に設定されていることを表している。
【０１３９】
なお、従来、同一の入力画像について、カラー画像と判定されることを希望するユーザとモノクロ画像と判定されることを希望するユーザとが同一の画像形成装置を利用する環境、つまり好みの異なるユーザが同一の画像形成装置を利用する環境では、特定のユーザの好みに合わせて判定条件を調整してしまうと、その他のユーザにとって希望する結果が得られないという問題があった。
【０１４０】
しかし、本実施形態のＭＦＰ１は、前述のように、ユーザごとにＡＣＳレベルの情報を記憶し、ユーザごとにＡＣＳレベルが更新されるため、好みの異なるユーザが同一のＭＦＰ１を利用する場合であっても、それぞれのユーザが希望するＡＣＳ結果を得ることができる。
【０１４１】
本実施形態の画像処理装置３によると、入力画像を、画像の種類に応じて、文字領域・網点領域・線領域・イメージ領域に分離したのちに、分離された画像領域ごとにＡＣＳ処理を行って領域別ＡＣＳ結果を求め、その領域別ＡＣＳ結果に基づき原稿全体としてのＡＣＳ結果（原稿ＡＣＳ結果）を決定するから、入力画像に文字領域・網点領域・線領域・イメージ領域などの種類の異なる画像領域が含まれていたとしても、ユーザの希望するＡＣＳ結果を得ることができる。
【０１４２】
また、本実施形態の画像処理装置３によると、文字領域ＡＣＳ処理・網点領域ＡＣＳ処理・線領域ＡＣＳ処理・イメージ領域ＡＣＳ処理で用いるＡＣＳ条件を、個別に調整することができるから、入力画像に種類の異なる領域が含まれているときの判定精度を更に向上させることができる。
【０１４３】
本実施形態の画像処理装置３によると、ＡＣＳ結果がユーザの希望結果と異なる場合に、ユーザの希望結果側にＡＣＳ条件が自動的に調整されるから、ユーザの手を煩わすことなく、ユーザの希望するＡＣＳ結果が得られるようにＡＣＳ条件を調整することができる。
【０１４４】
また、ユーザの希望結果と一致する判定を行った画像領域に関するＡＣＳ条件は調整せずに、ユーザの希望結果と異なる判定を行った画像領域に関するＡＣＳ条件のみを調整するから、ＡＣＳ条件をより高い精度で調整することができる。
【０１４５】
本実施形態の画像処理装置３によると、画像処理装置３を利用するユーザに対応するＡＣＳレベルが用いられ、ＡＣＳレベルが調整されたときもユーザごとに更新されるから、ＡＣＳ結果について好みの異なるユーザがＭＦＰ１を利用する場合であっても、それぞれのユーザの好みに合ったＡＣＳ結果を得ることができる。
【０１４６】
なお、前記実施形態では、領域別ＡＣＳ処理部３０は、入力画像を文字領域・網点領域・線領域・イメージ領域という４つの画像領域に分離し、分離された画像領域ごとにＡＣＳ処理を行って領域別ＡＣＳ結果を求めることとしたが、入力画像を４つよりも多くの画像領域、または４つ未満の画像領域に分離して画像領域ごとにＡＣＳ処理を行うようにしても良い。
【０１４７】
なお、前記実施形態では、原稿ＡＣＳ処理部３１は、領域別ＡＣＳ結果のうちの少なくとも１つが有彩色である場合に原稿ＡＣＳ結果をカラーに決定したが、領域別ＡＣＳ結果のうちの少なくとも２つが有彩色である場合にカラーと決定しても良い。また、領域別ＡＣＳ結果が所定の組み合わせの場合（例えば、文字領域ＡＣＳ結果が有彩色で、その他に少なくとも１つの画像領域の領域別ＡＣＳ結果が有彩色の場合など）に、原稿ＡＣＳ結果をカラーと決定しても良い。
【０１４８】
なお、前記実施形態では、本発明に係る画像処理装置３を備えたＭＦＰ１を例示しているが、本発明に係る画像処理装置３は、コピー機能・スキャン機能・プリント機能・ファクス機能などの機能を任意の組み合わせで備えた、例えば、複写機・スキャナ・プリンタ・ファクス機などにも適用できるものであり、制限的なものではないと考えるべきである。
【符号の説明】
【０１４９】
１  ＭＦＰ
２  スキャナ部
３  画像処理装置（画像処理部）
４  画像形成部
５  原稿搬送部
６  画像読取部
１０  外部インターフェース
１１  操作パネル部
１２  液晶タッチパネル
２４  ユーザ認証部
２６  領域判別部
２７  ＡＣＳ処理部
２８  色変換部
２９  ＡＣＳ条件調整部
３０  領域別ＡＣＳ処理部
３１  原稿ＡＣＳ処理部
３２  ユーザ情報記憶部
【図１】
2011142409.tif 000003
【図２】
2011142409.tif 000004
【図３】
2011142409.tif 000005
【図４】
2011142409.tif 000006
【図５】
2011142409.tif 000007
【図６】
2011142409.tif 000008
【図７】
2011142409.tif 000009
【図８】
2011142409.tif 000010
【図９】
2011142409.tif 000011
【図１０】
2011142409.tif 000012
【図１１】
2011142409.tif 000013
【図１２】
2011142409.tif 000014
【図１３】
2011142409.tif 000015
【図１４】
2011142409.tif 000016
【図１５】
2011142409.tif 000017
【図１６】
2011142409.tif 000018
【図１７】
2011142409.tif 000019